(57)【特許請求の範囲】
【請求項１】
ウェッジのアイアンゴルフクラブヘッドであって、
フェース部と、
前記フェース部の後方に位置するバック部と、
前記フェース部と前記バック部とを接続するソール部とを備え、
重心深度が５ｍｍ以上７ｍｍ以下であり、
前記フェース部と前記ソール部とが接する部分に位置するリーディングエッジ部とスイートスポットとの距離が３０．３ｍｍ以上３８．４ｍｍ以下であり、
前記バック部は、
後方に突出するように設けられた第１質量部と第２質量部とを含み、
前記第１質量部は、前記リーディングエッジ部側に設けられ、
前記第２質量部は、前記リーディングエッジ部と反対側に位置するトップエッジ部側に設けられ、かつ前記第１質量部より大きい質量を有し、
前記アイアンゴルフクラブヘッドの重心が前記トップエッジ部側に位置する、アイアンゴルフクラブヘッド。
【請求項２】
前記リーディングエッジ部と前記スイートスポットとの距離をｙとし、前記重心深度をｘとしたときに、ｙ≧０．６５ｘ2−１１．８５ｘ＋８１．４０となる、請求項１に記載
のアイアンゴルフクラブヘッド。
【請求項３】
４８°以上のロフト角を有する、請求項１または２に記載のアイアンゴルフクラブヘッド。
【請求項４】
シャフトと、
前記シャフトの一方端に取り付けられたグリップと、
前記シャフトの前記グリップと反対側の他方端に取り付けられた請求項１〜３のいずれかに記載のアイアンゴルフクラブヘッドとを備えた、アイアンゴルフクラブ。
【発明の詳細な説明】
【技術分野】
【０００１】
本発明は、アイアンゴルフクラブヘッドおよびアイアンゴルフクラブに関するものである。
【背景技術】
【０００２】
アイアンゴルフクラブでは、正確なショットが重視される。正確なショットを実現するためには、ボールがグリーンなどに落下した後の転がり（ラン）を減らすことが求められる。ランを減らすためにはボールのバックスピン量を増やすことが重要である。
【０００３】
バックスピン量を増やす方法として、フェース面にスコアラインを設ける方法が採用されている。このフェース面にスコアラインを設ける方法では、スコアラインによってフェース面の摩擦係数を大きくすることでバックスピン量が増える。しかし、近年、スコアラインに対する規制が厳格化されている。そのため、フェース面のスコアラインによってバックスピン量を増やすことは困難になってきている。
【０００４】
他方、バックスピン量を増やす方法として、ギア効果を高める方法も採用されている。たとえば、特開２００６−１４９４７８号公報（特許文献１）には、ソール面と接する水平面からヘッドの重心位置までの高さの距離をボールの半径より大きく形成したゴルフクラブが提案されている。この公報には、ショット時においてヘッドの重心をボールの中心より上方に配置することで、ボールの打撃時にその衝撃によってフェース面が下向き方向に回動し、このフェース面の回動によるギア効果によってボールのバックスピンを加速させることができると記載されている。
【先行技術文献】
【特許文献】
【０００５】
【特許文献１】特開２００６−１４９４７８号公報
【発明の概要】
【発明が解決しようとする課題】
【０００６】
しかしながら、ゴルファは、より多くのバックスピンを掛けることのできるアイアンゴルフクラブを求めており、上記公報に記載された従来のゴルフクラブ以上にギア効果を高めることのできるアイアンゴルフクラブが求められている。
【０００７】
本発明は、上記課題を鑑みてなされたものであり、その目的は、ギア効果を増大させることによってボールのバックスピン量を増やすことができるアイアンゴルフクラブヘッドおよびアイアンゴルフクラブを提供することである。
【課題を解決するための手段】
【０００８】
本発明のアイアンゴルフクラブヘッドは、フェース部と、フェース部の後方に位置するバック部と、フェース部とバック部とを接続するソール部とを備えている。重心深度が５ｍｍ以上７ｍｍ以下であり、フェース部とソール部とが接する部分に位置するリーディングエッジ部とスイートスポットとの距離が３０．３ｍｍ以上３８．４ｍｍ以下である。
【０００９】
ここで重心深度とは、アイアンゴルフクラブヘッドの重心からフェース部のフェース面上のスイートスポットまでの距離である。またスイートスポットとは、スイートスポットを通るスコアラインに垂直な断面上における、アイアンゴルフクラブヘッドの重心からフェース部のフェース面に伸びる法線がフェース面と交差する点である。そしてリーディングエッジ部とスイートスポットとの距離とは、リーディングエッジ部からフェース部のフェース面に垂直な方向に伸びる仮想線とスイートスポットからフェース部のフェース面に垂直な方向に伸びる仮想線との距離である。
【００１０】
一般的に、平均的ゴルファはフェース面のスイートスポットよりリーディングエッジ部側（下側）の領域でボールを打つ傾向がある。つまり、フェース面のスイートスポットよりリーディングエッジ部側（下側）の領域に平均的ゴルファの現実的な打点が位置している。この傾向は、ロフト角が大きいアイアンゴルフクラブにおいて多く見られる。
【００１１】
重心深度がフェース面よりバック部側に位置する場合、スイートスポットより下側の領域でボールが打撃される際、アイアンゴルフクラブヘッドは、重心回りにリーディングエッジ部がバック部側に移動する方向に回転する。このため、ボールには摩擦力によってアイアンゴルフクラブの回転とは逆方向に回転する力が加わる。これにより、ボールのバックスピン量が増加する。この効果はギア効果と呼ばれる。
【００１２】
本発明者等は、ギア効果を増大させることで平均的ゴルファの現実的な打点でのバックスピン量を増やすことができることに着目した。そして、本発明者等が鋭意検討したところ、アイアンゴルフクラブヘッドの重心深度が５ｍｍ以上７ｍｍ以下であり、フェース部とソール部とが接する部分に位置するリーディングエッジ部とスイートスポットとの距離が３０．３ｍｍ以上３８．４ｍｍ以下であることにより、ボールのバックスピン量を増やすことができるという知見を得た。
【００１３】
上記のアイアンゴルフクラブヘッドは、好ましくは、リーディングエッジ部とスイートスポットとの距離をｙとし、重心深度をｘとしたときに、ｙ≧０．６５ｘ2−１１．８５ｘ＋８１．４０となる。これにより、ボールのバックスピン量を約５００ｒｐｍ以上増やすことができる。この５００ｒｐｍの値は、ゴルファがバックスピン量の増加を感じることのできる回転数である。このため、アイアンゴルフクラブヘッドのスピン性能を向上することができる。
【００１４】
上記のアイアンゴルフクラブヘッドでは、好ましくは、バック部は、後方に突出するように設けられた第１質量部と第２質量部とを含む。第１質量部は、リーディングエッジ部側に設けられている。第２質量部は、リーディングエッジ部と反対側に位置するトップエッジ部側に設けられ、かつ第１質量部より大きい質量を有する。トップエッジ部側に第１質量部より大きい質量を有する第２質量部が設けられているため、アイアンゴルフクラブヘッドの重心よりもリーディングエッジ部側でボールを打った際に重心を中心にアイアンゴルフクラブヘッドが回転しやすい。そのため、ボールにバックスピンが生じやすくなる。
【００１５】
上記のアイアンゴルフクラブヘッドは、好ましくは、４８°以上のロフト角を有する。本発明は、４８°以上のロフト角を有するウェッジのアイアンゴルフクラブヘッドに特に有用である。
【００１６】
本発明のアイアンゴルフクラブは、シャフトと、シャフトの一方端に取り付けられたグリップと、シャフトのグリップと反対側の他方端に取り付けられた上記のアイアンゴルフクラブヘッドとを備えている。これにより、ボールのバックスピン量を増やすことができるアイアンゴルフクラブを得ることができる。
【発明の効果】
【００１７】
以上説明したように、本発明のアイアンゴルフクラブヘッドおよびアイアンゴルフクラブによれば、ギア効果を増大させることによってボールのバックスピン量を増やすことができる。
【図面の簡単な説明】
【００１８】
【図１】本発明の一実施の形態におけるアイアンゴルフクラブヘッドの概略正面図である。
【図２】図１のＩＩ−ＩＩ線に沿う概略断面図である。
【図３】本発明の一実施の形態におけるアイアンゴルフクラブヘッドの概略背面図である。
【図４】本発明の一実施の形態におけるアイアンゴルフクラブヘッドの変形例１の概略断面図であって、図２に対応する断面位置での概略断面図である。
【図５】本発明の一実施の形態におけるアイアンゴルフクラブヘッドの変形例２の概略断面図であって、図２に対応する断面位置での概略断面図である。
【図６】本発明の一実施の形態におけるアイアンゴルフクラブヘッドの変形例３の概略断面図であって、図２に対応する断面位置での概略断面図である。
【図７】本発明の一実施の形態におけるアイアンゴルフクラブの概略背面図である。
【図８】実施例における重心深度が一定で打点位置が変化する場合のバックスピン量と打点位置との関係を示す図である。
【図９】実施例における打点位置が一定で重心深度が変化する場合のバックスピン量と重心深度との関係を示す図である。
【図１０】実施例における重心深度が０．１ｍｍの場合のバックスピン量と打点位置との関係を示す図である。
【図１１】実施例における重心深度が１ｍｍの場合のバックスピン量と打点位置との関係を示す図である。
【図１２】実施例における重心深度が３ｍｍの場合のバックスピン量と打点位置との関係を示す図である。
【図１３】実施例における重心深度が５ｍｍの場合のバックスピン量と打点位置との関係を示す図である。
【図１４】実施例における重心深度が７ｍｍの場合のバックスピン量と打点位置との関係を示す図である。
【図１５】実施例における重心深度が７ｍｍの場合のアイアンゴルフクラブヘッドの概略断面図である。
【図１６】実施例における重心深度が７ｍｍの場合の実打試験でのバックスピン量とリーディングエッジ部からの距離との関係を示す図である。
【図１７】実施例における重心深度が６ｍｍの場合の実打試験でのバックスピン量とリーディングエッジ部からの距離との関係を示す図である。
【図１８】実施例における重心深度が５ｍｍの場合の実打試験でのバックスピン量とリーディングエッジ部からの距離との関係を示す図である。
【図１９】実施例におけるリーディングエッジ部とスイートスポットとの距離（ＳＤ）と、重心深度との関係を示す図である。
【発明を実施するための形態】
【００１９】
以下、本発明の一実施の形態について図に基づいて説明する。
最初に本発明の一実施の形態のアイアンゴルフクラブヘッドの構成について説明する。
【００２０】
図１および図２を参照して、アイアンゴルフクラブヘッド１０は、フェース部１と、バック部２と、ソール部３と、ホーゼル部４と、スコアライン部５と、リーディングエッジ部６と、トウ部７と、ヒール部８と、トップエッジ部９とを主に有している。
【００２１】
フェース部１はフェース面（平面部分）１ａを有している。フェース面１ａが打球面を構成している。フェース部１の打球面に複数のスコアライン（溝）部５が形成されている。複数のスコアライン部５は、フェース部１の打球面を縦断する方向に略等間隔で形成されており、打球面を横断する方向に直線状に形成されている。フェース部１は、フェース面１ａからリーディングエッジ部６に向かって湾曲する湾曲部分１ｂを有している。
【００２２】
バック部２はフェース部１の後方（背面）に位置している。フェース部１の周囲にソール部３、ホーゼル部４、リーディングエッジ部６、トウ部７、ヒール部８、トップエッジ部９が位置している。ソール部３はフェース部１とバック部２とを接続するように設けられている。ソール部３はアイアンゴルフクラブヘッド１０の底部を構成する部分である。
【００２３】
ホーゼル部４はシャフト（図７）に接続される部分である。リーディングエッジ部６はフェース部１とソール部３とが接する部分である。トウ部７はホーゼル部４から離れた側のトップエッジ部９とソール部３とを接続する部分である。ヒール部８はホーゼル部４の下端からソール部３に至る部分である。トップエッジ部９はホーゼル部４からトウ部７に至るアイアンゴルフクラブヘッド１０の上端縁部を構成する部分である。なお図１、及び図２はそれぞれ、設定されているロフト角およびライ角をなすようにアイアンゴルフクラブヘッドを水平面に設置した状態（以下、設置状態という。）の図である。
【００２４】
アイアンゴルフクラブヘッド１０では、重心深度ＧＤが５ｍｍ以上７ｍｍ以下となるように構成されている。重心深度ＧＤは、アイアンゴルフクラブヘッド１０の重心ＣＯＧからフェース部１のフェース面１ａ上のスイートスポットＳＳまでの距離である。またスイートスポットＳＳは、アイアンゴルフクラブヘッド１０の重心ＣＯＧからフェース部１のフェース面１ａに伸びる法線がフェース面１ａと交差する点である。なお、図２では重心深度ＧＤが６ｍｍとなるように構成されたアイアンゴルフクラブヘッド１０が示されている。
【００２５】
アイアンゴルフクラブヘッド１０では、フェース部１とソール部３とが接する部分に位置するリーディングエッジ部６とスイートスポットＳＳとの距離ＳＤが３０．３ｍｍ以上３８．４ｍｍ以下となるように構成されている。リーディングエッジ部６とスイートスポットＳＳとの距離ＳＤは、スイートスポットＳＳを通りスコアラインに垂直な断面のフェース面１ａ上における、リーディングエッジ部６からフェース部１のフェース面１ａに垂直な方向に伸びる仮想線とスイートスポットＳＳからフェース部１のフェース面１ａに垂直な方向に伸びる仮想線との距離である。
【００２６】
なお、図２ではリーディングエッジ部６とスイートスポットＳＳとの距離ＳＤが３３．７ｍｍとなるように構成されたアイアンゴルフクラブヘッド１０が示されている。また、このアイアンゴルフクラブヘッド１０は、スイートスポットＳＳを通りスコアラインに垂直な断面におけるリーディングエッジ部６からトップエッジ部９までの距離ＦＤが５４．７ｍｍとなるように構成されている。
【００２７】
図２および図３を参照して、バック部２は、第１質量部２１と、第２質量部２２と、中間部２３とを有している。第１質量部２１および第２質量部２２はそれぞれ後方に突出するように設けられている。第１質量部２１は、リーディングエッジ部６側に設けられている。第２質量部２２は、リーディングエッジ部６と反対側に位置するトップエッジ部９側に設けられている。第２質量部２２は、第１質量部２１より大きい質量を有している。したがって、第２質量部２２が第１質量部２１と同じ材質で形成されている場合、第２質量部２２は第１質量部２１より大きい体積を有している。
【００２８】
第１質量部２１と第２質量部２２との間に中間部２３が設けられている。中間部２３によって第１質量部２と第２質量部２２とは分離されている。図２および図３に示すように第１質量部２１と第２質量部２２と中間部２３とは、スイートスポットＳＳを通りスコアラインに垂直な断面図において凹形状を構成している。第１質量部２１と第２質量部２２はそれぞれ、当該断面図において、凹部の最下点を通りフェース部１に平行な直線よりも後方に突出している領域と定義される。中間部２３はバック部２の中央部に設けられている。中間部２３はトウヒール方向に伸びるように設けられている。
【００２９】
アイアンゴルフクラブヘッド１０のロフト角ＬＯは、通常のアイアンゴルフクラブヘッド１０のロフト角ＬＯであればよい。アイアンゴルフクラブヘッド１０は、たとえば１６°以上６４°以下のロフト角ＬＯを有するように設定されていてもよい。アイアンゴルフクラブヘッド１０は、４８℃以上のロフト角ＬＯを有するように構成されていることが好ましい。
【００３０】
アイアンゴルフクラブヘッド１０は、たとえばＪＩＳ規格Ｓ２５Ｃを含む素材を用いて作製することができる。また、アイアンゴルフクラブヘッド１０の材料としては、ばね鋼、マレージング鋼、ステンレス鋼などが適用され得る。アイアンゴルフクラブヘッド１０は、鍛造で製造されていてもよい。また、アイアンゴルフクラブヘッド１０にはめっきが施されていてもよい。めっきは、たとえば、Ｎｉ（ニッケル）−Ｃｒ（クロム）めっきであってもよい。
【００３１】
続いて、本発明の一実施の形態のアイアンゴルフクラブヘッド１０の重心深度が異なる変形例１および変形例２について説明する。
【００３２】
図４を参照して、本発明の一実施の形態の変形例１のアイアンゴルフクラブヘッド１０では、重心深度ＧＤが５ｍｍである。また、リーディングエッジ部６とスイートスポットＳＳとの距離が３８．４ｍｍである。また、リーディングエッジ部６からトップエッジ部９までの距離ＦＤが５４．７ｍｍである。
【００３３】
図５を参照して、本発明の一実施の形態の変形例２のアイアンゴルフクラブヘッド１０では、重心深度ＧＤが７ｍｍである。また、リーディングエッジ部６とスイートスポットＳＳとの距離が３０．３ｍｍである。また、リーディングエッジ部６からトップエッジ部９までの距離ＦＤが５４．７ｍｍである。
【００３４】
また、本発明の一実施の形態のアイアンゴルフクラブヘッド１０では、第２質量部２２に高比重材料が用いられていてもよい。
【００３５】
図６を参照して、本発明の一実施の形態の変形例３のアイアンゴルフクラブヘッド１０では、第１質量部２１の材料の比重より大きい比重を有する高比重材料で第２質量部２２が形成されている。第２質量部２２の材料は、それ以外のアイアンゴルフクラブヘッド１０の材料の比重より大きい比重を有していてもよい。第２質量部２２はタングステンで構成されていてもよい。第２質量部２２はアイアンゴルフクラブヘッド１０のバック部２側に接着剤で貼り付けられていてもよい。
【００３６】
第２質量部２２が高比重材料で形成されているため、第２質量部２２の体積を小さくすることができる。そのため、第２質量部２２の形状の調整が容易である。また、第２質量部２２がアイアンゴルフクラブヘッド１０を構成する他の部材と別部材であるため、第２質量部２２を交換することができる。
【００３７】
次に、上述のアイアンゴルフクラブヘッド１０を備えた本発明の一実施の形態のアイアンゴルフクラブ２０について説明する。
【００３８】
図７を参照して、アイアンゴルフクラブヘッド１０にシャフト３１およびグリップ３２を組み合わせることでアイアンゴルフクラブ２０が構成される。アイアンゴルフクラブ２０は、シャフト３１と、シャフト３１の一方端に取り付けられたグリップ３２と、シャフト３１のグリップ３２と反対側の他方端に取り付けられたアイアンゴルフクラブヘッド１０とを有している。なお、シャフト３１およびグリップ３２は周知のものを採用可能である。また、アイアンゴルフクラブヘッド１０のホーゼル部４に隣接するようにシャフト３１にソケット３３が取り付けられている。
【００３９】
次に、本発明の一実施の形態の作用効果について説明する。
本発明者等は、ギア効果を増大させることで平均的ゴルファの現実的な打点でのバックスピン量を増やすことができることに着目した。そして、本発明者等が鋭意検討したところ、アイアンゴルフクラブヘッド１０の重心深度ＧＤが５ｍｍ以上７ｍｍ以下であり、フェース部１とソール部３とが接する部分に位置するリーディングエッジ部６とスイートスポットＳＳとの距離ＳＤが３０．３ｍｍ以上３８．４ｍｍ以下であることにより、ボールのバックスピン量を増やすことができるという知見を得た。
【００４０】
重心深度ＧＤが５ｍｍ未満の場合、アイアンゴルフクラブヘッド１０の製造は寸法上実現困難である。また重心深度ＧＤが７ｍｍ超の場合、アイアンゴルフクラブヘッド１０を作り難い。そのため、重心深度ＧＤは５ｍｍ以上７ｍｍ以下とした。そして、重心深度ＧＤが５ｍｍ以上７ｍｍ以下の場合に、リーディングエッジ部６とスイートスポットＳＳとの距離が３０．３ｍｍ以上３８．４ｍｍ以下であることで、ボールのバックスピン量を増やすことができることを知得した。
【００４１】
本発明の一実施の形態のアイアンゴルフクラブヘッド１０は、リーディングエッジ部６とスイートスポットＳＳとの距離ＳＤをｙとし、重心深度ＧＤをｘとしたときに、ｙ≧０．６５ｘ2−１１．８５ｘ＋８１．４０となることが好ましい。これにより、ボールのバックスピン量を約５００ｒｐｍ以上増やすことができる。このため、アイアンゴルフクラブヘッド１０のスピン性能を向上することができる。
【００４２】
本発明の一実施の形態のアイアンゴルフクラブヘッド１０では、第１質量部２１はリーディングエッジ部６側に設けられ、第２質量部２２はリーディングエッジ部６と反対側に位置するトップエッジ部９側に設けられ、かつ第１質量部２１より大きい質量を有することが好ましい。トップエッジ部９側に第１質量部２１より大きい質量を有する第２質量部２２が設けられているため、アイアンゴルフクラブヘッド１０の重心ＣＯＧよりもリーディングエッジ部６側でボールを打った際に重心ＣＯＧを中心にアイアンゴルフクラブヘッド１０が回転しやすい。
【００４３】
つまり、重心ＣＯＧがトップエッジ部９側に位置するため重心ＣＯＧとリーディングエッジ部６との距離が大きくなる。これにより、重心ＣＯＧよりもリーディングエッジ部６側（下側）でボールを打った際に重心ＣＯＧを中心にアイアンゴルフクラブヘッド１０が回転しやすくなる。そのため、ボールにバックスピンが生じやすくなる。
【００４４】
本発明の一実施の形態のアイアンゴルフクラブヘッド１０は、４８°以上のロフト角を有することが好ましい。フェース面１ａのスイートスポットＳＳよりリーディングエッジ部６側（下側）の領域でボールを打つ傾向は、ロフト角ＬＯが大きいアイアンゴルフクラブ１０において多く見られる。そのため、４８°以上のロフト角ＬＯを有するウェッジではこの傾向が多く見られる。したがって、４８°以上のロフト角ＬＯを有するウェッジではギア効果が大きくなる傾向がある。このため、本発明の一実施の形態のアイアンゴルフクラブヘッド１０は、４８°以上のロフト角を有するウェッジのアイアンゴルフクラブヘッドに特に有用である。
【００４５】
本発明の一実施の形態のアイアンゴルフクラブ２０は、上記のアイアンゴルフクラブヘッド１０を備えている。これにより、ボールのバックスピン量を増やすことができるアイアンゴルフクラブ２０を得ることができる。
【実施例】
【００４６】
以下、本発明の実施例について説明する。
まず、フェース面での打点位置とバックスピン量との関係およびアイアンゴルフクラブヘッドの重心深度とバックスピン量との関係について説明する。
【００４７】
発明者等は、三次元反発シミュレーションを用いてフェース面での打点位置とバックスピン量との関係およびアイアンゴルフクラブヘッドの重心深度とバックスピン量との関係について調べた。
【００４８】
三次元反発シミュレーションは以下のようにして行われた。
滑り係数、反発係数、インパクト角、ブロー角を入力パラメータとして所定の演算を行った。そして、スイートスポットを原点として、スイートスポットからリーディングエッジ部側およびトップエッジ部側のそれぞれに５ｍｍの範囲で０．５ｍｍ単位で打点位置を変化させたときのボールの回転数を算出した。
【００４９】
図８を参照して、重心深度が一定で打点位置が変化した場合のボールのバックスピン量を説明する。重心深度は０．１ｍｍである。このため、重心はフェース面よりバック部側に位置している。図８に示される打点位置の０がスイートスポットの位置に該当する。図８において、打点位置のマイナス側がリーディングエッジ部側の位置を示しており、プラス側がトップエッジ部側の位置を示している。スイートスポットからリーディングエッジ部側に５ｍｍ（−５ｍｍ）およびトップエッジ部側に５ｍｍ（＋５ｍｍ）の範囲で０．５ｍｍずつ打点位置（ｍｍ）を変化させた場合のボールのバックスピン量（ｒｐｍ）を算出した。
【００５０】
シミュレーションの結果、スイートスポットではバックスピン量は、約４５７８ｒｐｍとなった。スイートスポットよりリーディングエッジ部側（下側）の打点位置で、スイートスポットから離れるほどバックスピン量が増加した。一方、スイートスポットよりトップエッジ部側（上側）の打点位置で、スイートスポットから離れるほどバックスピン量が減少した。これにより、スイートスポットよりリーディングエッジ部側（下側）の打点位置で、ギア効果によってバックスピン量が増加することを確認した。
【００５１】
続いて、図９を参照して、打点位置が一定で重心深度が変化した場合のボールのバックスピン量を説明する。打点位置はスイートスポットである。図９に示される重心深度の０がスイートスポットの位置に該当する。図９において、重心深度のマイナス側がスイートスポットの上方側（フェース面の前方側）の位置を示しており、プラス側がスイートスポットの下方側（フェース面の後方側）の位置を示している。スイートスポットから上方側に２ｍｍ（−２ｍｍ）および下方側に２ｍｍ（＋２ｍｍ）の範囲で０．２ｍｍずつ重心深度を変化させた場合のバックスピン量（ｒｐｍ）を算出した。重心深度が０の場合にバックスピン量は最大となり、重心深度があるとバックスピン量は減少した。
【００５２】
以上より、重心深度があるとバックスピン量は減少するが、打点位置によってギア効果によりバックスピン量を増大することができることがわかった。
【００５３】
ところで、本発明者等が鋭意検討したところ、スイートスポットで打撃した場合と比較してバックスピン量が約５００ｒｐｍ増加すると、ゴルファはスピン性能が向上したと評価する傾向があることを見出した。
【００５４】
表１を参照して、スピン性能の向上を体感できるバックスピン量の増加量を調べるために３名のプロゴルファ（被験者Ａ〜Ｃ）による試打試験を行った。５０ヤードショットで、バックスピン量を変化させてスピン性能の向上を体感できるバックスピン量の増加量を調べた。バックスピン量の増加量は１００ｒｐｍから７００ｒｐｍまで１００ｒｐｍずつ増加させた。
【００５５】
【表１】
0005660984.tif 000002
【００５６】
表１の○はスピン性能の向上を体感できたとの評価を示し、△はスピン性能が向上したと思われるとの評価を示し、×はスピン性能の向上を体感できなかったとの評価を示している。被験者Ａおよび被験者Ｂは、バックスピン量が５００ｒｐｍ増加するとスピン性能の向上を体感できたと評価した。また、被験者Ｃは、バックスピン量が４００ｒｐｍ増加するとスピン性能が向上したと思われると評価し、バックスピン量が５００ｒｐｍ増加するとスピン性能の向上を体感できたと評価した。
【００５７】
これより、バックスピン量が４００ｒｐｍを超えて増加するとスピン性能が向上したと評価され得ることがわかった。さらに、試打試験を行った全ての被験者Ａ〜Ｃはバックスピン量が５００ｒｐｍ増加するとスピン性能の向上を体感できたと評価したことからバックスピン量が５００ｒｐｍ増加するとスピン性能の向上を体感できることがわかった。したがって、バックスピン量が約５００ｒｐｍ増加すればスピン性能の向上を体感できると考えられる。より具体的には、バックスピン量が５００ｒｐｍから−１０％までの範囲で増加すればスピン性能の向上を体感できると考えられる。そして、バックスピン量が５００ｒｐｍ増加すると確実にスピン性能の向上を体感できると考えられる。
【００５８】
そこで、図１０〜図１４を参照して、重心深度が０．１ｍｍ、１．０ｍｍ、３．０ｍｍ、５．０ｍｍ、７．０ｍｍのそれぞれについて、打点位置（ｍｍ）が変化した場合のバックスピン量（ｒｐｍ）を算出した。そして、スイートスポットで打撃した場合と比較してバックスピン量が５００ｒｐｍ増加する打点位置を算出した。
【００５９】
図１０〜図１４では、打点位置のマイナス側がリーディングエッジ部側の位置を示しており、プラス側がトップエッジ部側の位置を示している。また、スイートスポットからリーディングエッジ部側に５ｍｍ（−５ｍｍ）およびリーディングエッジ部側に５ｍｍ（＋５ｍｍ）の範囲で０．５ｍｍずつ打点位置（ｍｍ）を変化させた場合のボールのバックスピン量（ｒｐｍ）を示している。
【００６０】
図１０を参照して、重心深度が０．１ｍｍの場合、スイートスポット（打点位置０ｍｍ）ではバックスピン量は約４５７８ｒｐｍとなる。バックスピン量と打点位置との関係は、バックスピン量をｙとして打点位置をｘとすると、近似式としての次の第（１）式で表される。
【００６１】
ｙ＝−０．３５２２ｘ＋４５７８．２  ・・・（１）
第（１）式より、バックスピン量が５００ｒｐｍ増加した場合、つまりバックスピン量ｙが５０７８ｒｐｍの場合の打点位置ｘは、−１４１９ｍｍとなる。この結果、スイートスポットからリーディングエッジ側に１４１９ｍｍ離れた位置が打点位置となる。このような打点位置を有するアイアンゴルフクラブヘッドは、寸法上実現困難であるため、現実的には採用されない。
【００６２】
図１１を参照して、重心深度が１．０ｍｍの場合、スイートスポット（打点位置０ｍｍ）ではバックスピン量は約４５７８ｒｐｍとなる。バックスピン量と打点位置との関係は、バックスピン量をｙとして打点位置をｘとすると、近似式としての次の第（２）式で表される。
【００６３】
ｙ＝−３．５３４８ｘ＋４５７７．６  ・・・（２）
第（２）式より、バックスピン量が５００ｒｐｍ増加した場合、つまりバックスピン量ｙが５０７８ｒｐｍの場合の打点位置ｘは、−１４２ｍｍとなる。この結果、スイートスポットからリーディングエッジ側に１４２ｍｍ離れた位置が打点位置となる。このような打点位置を有するアイアンゴルフクラブヘッドは、寸法上実現困難であるため、現実的には採用されない。
【００６４】
図１２を参照して、重心深度が３．０ｍｍの場合、スイートスポット（打点位置０ｍｍ）ではバックスピン量は約４５７３ｒｐｍとなる。バックスピン量と打点位置との関係は、バックスピン量をｙとして打点位置をｘとすると、近似式としての次の第（３）式で表される。
【００６５】
ｙ＝−１０．５９５ｘ＋４５７３  ・・・（３）
第（３）式より、バックスピン量が５００ｒｐｍ増加した場合、つまりバックスピン量ｙが５０７３ｒｐｍの場合の打点位置ｘは、−４７．２ｍｍとなる。この結果、スイートスポットからリーディングエッジ側に４７．２ｍｍ離れた位置が打点位置となる。このような打点位置を有するアイアンゴルフクラブヘッドは、寸法上実現困難であるため、現実的には採用されない。
【００６６】
図１３を参照して、重心深度が５．０ｍｍの場合、スイートスポット（打点位置０ｍｍ）ではバックスピン量は約４５６４ｒｐｍとなる。バックスピン量と打点位置との関係は、バックスピン量をｙとして打点位置をｘとすると、近似式としての次の第（４）式で表される。
【００６７】
ｙ＝−１７．６２ｘ＋４５６３．６  ・・・（４）
第（４）式より、バックスピン量が５００ｒｐｍ増加した場合、つまりバックスピン量ｙが５０６４ｒｐｍの場合の打点位置ｘは、−２８．４ｍｍとなる。この結果、スイートスポットからリーディングエッジ側に２８．４ｍｍ離れた位置が打点位置となる。このような打点位置を有するアイアンゴルフクラブヘッドは、寸法上実現可能である。
【００６８】
平均的ゴルファの打点位置は、リーディングエッジ部からスイートスポット側に約１０ｍｍの位置となることが多い。そのため、現実的な打点としては、リーディングエッジ部からスイートスポット側に約１０ｍｍの打点位置が好適である。したがって、リーディングエッジ部とスイートスポットとの距離は３８．４ｍｍに設定される。
【００６９】
図１４を参照して、重心深度が７．０ｍｍの場合、スイートスポット（打点位置０ｍｍ）ではバックスピン量は約４５４９ｒｐｍとなる。バックスピン量と打点位置との関係は、バックスピン量をｙとして打点位置をｘとすると、近似式としての次の第（５）式で表される。
【００７０】
ｙ＝−２４．５８７ｘ＋４５４９．７  ・・・（５）
第（５）式より、バックスピン量が５００ｒｐｍ増加した場合、つまりバックスピン量ｙが５０４９ｒｐｍの場合の打点位置ｘは、−２０．３ｍｍとなる。この結果、スイートスポットからリーディングエッジ側に２０．３ｍｍ離れた位置が打点位置となる。このような打点位置を有するアイアンゴルフクラブヘッドは、寸法上実現可能である。
【００７１】
現実的な打点としては、リーディングエッジ部からスイートスポット側に約１０ｍｍの打点位置が好適であるため、リーディングエッジ部とスイートスポットとの距離は３０．３ｍｍに設定される。
【００７２】
表２を参照して、重心深度（ｍｍ）が４ｍｍ、５ｍｍ、６ｍｍ、７ｍｍのそれぞれについて、スイートスポットからリーディングエッジ部までの距離（ｍｍ）が変化した場合のバックスピン量（ｒｐｍ）を算出した結果を示す。
【００７３】
【表２】
0005660984.tif 000003
【００７４】
実際に本発明例のアイアンゴルフクラブを作製して実打試験を行い、バックスピン量の増加を確認した。
【００７５】
ミズノ株式会社製ＭＰ−Ｔ１１ウェッジ（ロフト角５６°）に銅製の重量体を接着してアイアンゴルフクラブを作製した。銅製の重量体の重さを調整して、重心深度が７ｍｍ、６ｍｍ、５ｍｍのアイアンゴルフクラブヘッドを備えたアイアンゴルフクラブをそれぞれ作製した。
【００７６】
図１５を参照して、重心深度が７ｍｍのアイアンゴルフクラブヘッドでは、バック部２に重量体が接着されている。リーディングエッジ部とスイートスポットとの距離は３０．３ｍｍに設定されている。図示しない重心深度が６ｍｍのアイアンゴルフクラブヘッドでは、リーディングエッジ部とスイートスポットとの距離は３３．７ｍｍに設定されている。同様に図示しない重心深度が５ｍｍのアイアンゴルフクラブヘッドでは、リーディングエッジ部とスイートスポットとの距離は３８．４ｍｍに設定されている
株式会社ミヤマエ製メカニカルゴルファーを用いて重心深度が７ｍｍ、６ｍｍ、５ｍｍのそれぞれのアイアンゴルフクラブでボールを打ってバックスピンの回転数毎分を計測した。具体的には、５０ヤードショットでのバックスピンの回転数毎分を計測した。ボールのバックスピン回転数毎分は、Interactive Sports Games社製弾道測定器トラックマンで測定した。ボールはミズノ株式会社製ＭＰ８０１を使用した。
【００７７】
図１６〜図１８を参照して、図中のｄｅｅｐは重量体が接着されているアイアンゴルフクラブヘッドのバックスピン量を示している。一方、図中のｎｏｒｍａｌは重量体が接着されていないアイアンゴルフクラブヘッドのバックスピン量を示している。図中のｎｏｒｍａｌは図中のｄｅｅｐと比較するために示している。また、図１６〜図１８の各図では、図中のｎｏｒｍａｌの重心深度は−０．１ｍｍで一定である。一方、図中のｄｅｅｐの重心深度はそれぞれ７ｍｍ、６ｍｍ、５ｍｍである。
【００７８】
図１６〜図１８の各図では、打点Ａ（図中Ａ）、打点Ｂ（図中Ｂ）、打点Ｃ（図中Ｃ）、スイートスポットｎ（図中ｎ）、スイートスポットｄ（図中ｄ）のそれぞれについてバックスピン量（ｒｐｍ）が示されている。図１を再び参照して、打点Ａ（図１中Ａ）はリーディングエッジ部から１０ｍｍの位置である。打点Ｂ（図１中Ｂ）はリーディングエッジ部から１７．２ｍｍの位置である。打点Ｃ（図１中Ｃ）はリーディングエッジ部から２４．４ｍｍの位置である。
【００７９】
スイートスポットｎは、図中のｎｏｒｍａｌの場合のアイアンゴルフクラブヘッドのスイートスポットからリーディングエッジ部までの距離である。具体的にはスイートスポットｎはリーディングエッジ部から２１．６ｍｍの位置である。スイートスポットｄは、図中のｄｅｅｐの場合のアイアンゴルフクラブヘッドのスイートスポットからリーディングエッジ部までの距離である。具体的にはスイートスポットｄはリーディングエッジ部から３０．１ｍｍの位置である。
【００８０】
図１６を参照して、重心深度が７ｍｍのアイアンゴルフクラブヘッドで実打試験を行った。図１６に示される重心深度が７ｍｍの場合、現実的な打点である打点Ａでバックスピン量は７６２０ｒｐｍとなった。打点Ａでは、スイートスポットｄのバックスピン量（７１００ｒｐｍ）に比べてバックスピン量は５２０ｒｐｍ増加した。また、打点Ａでは、図中のｎｏｒｍａｌのバックスピン量（７１２２ｒｐｍ）に比べて図中のｄｅｅｐのバックスピン量は４９８ｒｐｍ増加した。
【００８１】
図１７を参照して、重心深度が６ｍｍのアイアンゴルフクラブヘッドで実打試験を行った。図１７に示される重心深度が６ｍｍの場合、現実的な打点である打点Ａでバックスピン量は７６９２ｒｐｍとなった。打点Ａでは、スイートスポットｄのバックスピン量（７１１０ｒｐｍ）に比べてバックスピン量は５８２ｒｐｍ増加した。また、打点Ａでは、図中のｎｏｒｍａｌのバックスピン量（７１２２ｒｐｍ）に比べて図中のｄｅｅｐのバックスピン量は５７０ｒｐｍ増加した。
【００８２】
図１８を参照して、重心深度が５ｍｍのアイアンゴルフクラブヘッドで実打試験を行った。図１８に示される重心深度が５ｍｍの場合、現実的な打点である打点Ａでバックスピン量は７６９２ｒｐｍとなった。打点Ａでは、スイートスポットｄのバックスピン量（７１０２ｒｐｍ）に比べてバックスピン量は５９０ｒｐｍ増加した。また、打点Ａでは、図中のｎｏｒｍａｌのバックスピン量（７１２２ｒｐｍ）に比べて図中のｄｅｅｐのバックスピン量は５７０ｒｐｍ増加した。
【００８３】
以上より、実打試験によって、本発明例のアイアンゴルフクラブにおけるバックスピン量の増加を確認した。さらに、重心深度が７ｍｍ、６ｍｍ、５ｍｍのそれぞれのアイアンゴルフクラブにおいて、打点Ａではスイートスポットｄのバックスピン量に比べてバックスピン量が５００ｒｐｍ以上増加することを確認した。
【００８４】
図１９を参照して、リーディングエッジ部とスイートスポットとの距離（ＳＤ）と重心深度との関係を説明する。重心深度が５ｍｍ以上７ｍｍ以下の範囲でリーディングエッジ部とスイートスポットとの距離（ＳＤ）は３０．３ｍｍ以上３８．４ｍｍ以下となった。
【００８５】
リーディングエッジ部とスイートスポットとの距離（ＳＤ）と重心深度との関係は、リーディングエッジ部とスイートスポットとの距離（ＳＤ）をｙとし、重心深度をｘとすると、近似式として次の第（６）式で表される。なお、この場合、決定係数Ｒ2は１となる（Ｒ2＝１）。
【００８６】
ｙ＝０．６５ｘ2−１１．８５ｘ＋８１．４０  ・・・（６）
第６式より、ｙ≧０．６５ｘ2−１１．８５ｘ＋８１．４０の場合にバックスピン量を約５００ｒｐｍ増加することができる。
【００８７】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００８８】
本発明は、アイアンゴルフクラブヘッドおよびアイアンゴルフクラブに特に有利に適用され得る。
【符号の説明】
【００８９】
１  フェース部、１ａ  フェース面（平面部分）、１ｂ  湾曲部分、２  バック部、３  ソール部、４  ホーゼル部、５  スコアライン部、６  リーディングエッジ部、７  トウ部、８  ヒール部、９  トップエッジ部、１０  アイアンゴルフクラブヘッド、２０  アイアンゴルフクラブ、３１  シャフト、３２  グリップ、３３  ソケット。
【図１】
0005660984.tif 000004
【図２】
0005660984.tif 000005
【図３】
0005660984.tif 000006
【図４】
0005660984.tif 000007
【図５】
0005660984.tif 000008
【図６】
0005660984.tif 000009
【図７】
0005660984.tif 000010
【図８】
0005660984.tif 000011
【図９】
0005660984.tif 000012
【図１０】
0005660984.tif 000013
【図１１】
0005660984.tif 000014
【図１２】
0005660984.tif 000015
【図１３】
0005660984.tif 000016
【図１４】
0005660984.tif 000017
【図１５】
0005660984.tif 000018
【図１６】
0005660984.tif 000019
【図１７】
0005660984.tif 000020
【図１８】
0005660984.tif 000021
【図１９】
0005660984.tif 000022